(57)【要約】【課題】録画画質の指定にかかわらず可能な限り高画質録画を行って録画後に極力高画質の再生画鑑賞が行なえるようにする。【解決手段】書き換え自在の記録媒体１２の録画可能残量が設定量以上であることを条件に、録画処理手段が同一録画対象の低画質録画と高画質録画とを記録媒体１２に行なうため、記録媒体１２の録画可能残量が十分多いときに、低画質録画を指定したとしても、自動的に高画質録画も行ない、録画後は、再生処理手段により記録媒体の高画質録画を優先的に再生出力し録画を高画質再生して鑑賞ができるようにする。【選択図】図１
2008060771.tif 000002
【特許請求の範囲】
【請求項１】
書き換え自在の記録媒体と、前記記録媒体の録画可能残量を算出する残量算出手段と、前記録画可能残量が設定量以上であることを条件に前記記録媒体に同一録画対象の低画質録画と高画質録画とを行なう録画処理手段と、再生時に前記記録媒体の高画質録画を優先的に再生出力する再生処理手段とを備えたことを特徴とする映像記録再生装置。
【請求項２】
前記録画処理手段は、録画開始によって前記高画質録画を優先して開始し、前記高画質録画の終了後に前記高画質録画に基づいて前記低画質録画を行なうことを特徴とする請求項１記載の映像記録再生装置。
【請求項３】
前記録画処理手段は、録画開始によって前記低画質録画と前記高画質録画を同時に開始し、録画の進行により前記残量算出手段の算出残量が所定の下限量に減少した後は指定された前記低画質録画のみを行うことを特徴とする請求項１記載の映像記録再生装置。
【請求項４】
請求項１乃至３のいずれか１項に記載の映像記録再生装置において、前記記録媒体の録画可能残量が不足するときに、前記記録媒体に前記低画質録画と共に書き込まれている同一録画対象の前記高画質録画を消去して前記録画可能残量を増大するようにしたことを特徴とする映像記録再生装置。
【発明の詳細な説明】
【技術分野】
【０００１】
本発明は、主にハードディスク装置（ＨＤＤ）のような書き換え自在の大容量の記録媒体を備えた映像記録再生装置に関し、詳しくは、その新規な録画再生の処理に関する。
【背景技術】
【０００２】
従来、前記ＨＤＤのような書き換え自在の大容量の記録媒体を備えた映像記録再生装置として、いわゆるＨＤＤレコーダやＨＤＤとＤＶＤ等とを記録媒体とする複合型のレコーダがある。
【０００３】
そして、これらの映像記録再生装置においては、ユーザーは録画画質を指定することができる。具体的には、近年のデジタル方式の映像記録再生装置の場合、ビットレートが異なる複数のモード（ＸＰ、ＳＰ、ＬＰ、ＥＰ等）の画質を指定することができる。尚、ＸＰ、ＳＰ、ＬＰ、ＥＰの順にビットレートが下がり、画質が低下する。
【０００４】
一方、高い画質を指定して録画すると、ビットレートがその分高くなって録画情報量が多くなる。
【０００５】
そのため、同じ番組（コンテンツ）を録画する際に、ＸＰモードのような高画質録画では、図６（ａ）の棒グラフで模式するディスク容量Ｒａが必要であるのに対して、ＳＰ、ＬＰ或いはＥＰモードのような低画質録画では。同図（ｂ）の棒グラフで模式するディスク容量Ｒｂ（＜Ｒａ）で済む。
【０００６】
この場合、記録媒体である例えばＨＤＤが図７（ａ）に示すように、全記録容量Ｒｍａｘに対して斜線のＲ１だけが既に録画され、残りの録画可能な残量（ディスク残量）Ｒ２が高画質録画の必要量Ｒａより十分に多いと、ユーザーは高画質録画を指定してその番組を問題なく高画質録画することができるが、ＨＤＤが同図（ｂ）に示すように、全記録容量Ｒｍａｘに対して斜線のＲ３が既に録画され、残りの録画可能残量（ディスク残量）Ｒ４が高画質録画の必要量Ｒａより少ないと、ユーザーが高画質録画を指定しても容量不足となってその番組は高画質録画することができなくなる。
【０００７】
そして、このような容量不足によって所望の番組の録画ができなくなる事態を恐れるため、本来は録画した番組を高画質で再生して楽しみたいにもかかわらず、多くのユーザーは、録画に際し、初めから高画質録画をあきらめて低画質録画を指定することがある。
【０００８】
又、従来装置には、ユーザーが高画質録画を指定して予約録画等をする際に、記録媒体の録画可能残量で足りるかどうかを計算し、足りないと判断したときには、自動的に画質を下げて低画質録画するようにしたものもある（例えば、特許文献１参照。）。
【特許文献１】特開平１０−９２１０６号公報（要約書、段落［００７８］−［００８８］、図１等）
【発明の開示】
【発明が解決しようとする課題】
【０００９】
前記従来のように、録画に際し、初めから高画質録画をあきらめて低画質録画を指定するのでは、前記図７（ａ）のように録画可能残量Ｒ２が高画質録画の必要量Ｒａより十分多いにもかかわらず、所望の番組を低画質録画する不本意な事態が発生し、録画した番組を高画質で再生して鑑賞することができない問題がある。
【００１０】
又、前記特許文献１の従来装置においても、低画質録画を指定して録画すると、上述のように所望の番組を低画質録画する不本意な事態が発生し、同様の問題が生じる。
【００１１】
一方、高画質録画した番組であっても低画質で保存すれば十分なものもあるが、従来は、高画質録画した番組はそのまま保存するしかなく、これがＨＤＤ等の記録媒体の残存容量を少なくする原因の一つになっている。
【００１２】
本発明は、ユーザーの録画画質の指定にかかわらず可能な限り高画質録画を行って録画後に極力高画質の再生画鑑賞が行なえるようにし、又、低画質での保存を優先して記録媒体の録画可能残量を極力多くすることも目的とする。
【課題を解決するための手段】
【００１３】
上記の目的を達成するために、本発明の映像記録再生装置は、書き換え自在の記録媒体と、前記記録媒体の録画可能残量を算出する残量算出手段と、前記録画可能残量が設定量以上であることを条件に前記記録媒体に同一録画対象の低画質録画と高画質録画とを行なう録画処理手段と、再生時に前記記録媒体の高画質録画を優先的に再生出力する再生処理手段とを備えたことを特徴としている（請求項１）。
【００１４】
又、本発明の映像記録再生装置の前記録画処理手段は、録画開始によって前記高画質録画を優先して開始し、前記高画質録画の終了後に前記高画質録画に基づいて前記低画質録画を行なうことを特徴としている（請求項２）。
【００１５】
更に、本発明の映像記録再生装置の前記録画処理手段は、録画開始によって前記低画質録画と前記高画質録画を同時に開始し、録画の進行により前記残量算出手段の算出残量が所定の下限量に減少した後は指定された前記低画質録画のみを行なうことを特徴としている（請求項３）。
【００１６】
又、本発明の映像記録再生装置は、前記記録媒体の録画可能残量が不足するときに、前記記録媒体に前記低画質録画と共に書き込まれている同一録画対象の前記高画質録画を消去して前記録画可能残量を増大するようにしたことを特徴としている（請求項４）。
【発明の効果】
【００１７】
請求項１の発明によれば、記録媒体の録画可能残量が設定量以上であることを条件に、録画処理手段が同一録画対象（番組）の低画質録画と高画質録画とを行なうため、記録媒体の録画可能残量が十分多いときには、ユーザーが低画質録画を指定したとしても、所望の番組が自動的に記録媒体に低画質と高画質とで録画される。そして、録画後は、再生処理手段が記録媒体の高画質録画を優先的に再生出力するため、録画した番組を高画質再生して鑑賞することができる。
【００１８】
したがって、従来にない新規な録画再生の処理により、ユーザーの録画画質の指定にかかわらず可能な限り高画質録画を行って録画後に極力高画質の再生画鑑賞が行なえるようにすることができ、録画再生の性能を著しく向上することができる。
【００１９】
又、請求項２の発明によれば、録画開始によって高画質録画を先に行ない、その後、その高画質録画のビットレート変換等によって低画質録画を行なうことで、請求項１の同一録画対象（番組）の低画質録画と高画質録画とを実現することができ、とくに予約録画のように、録画時間が予め分かっている場合に有効な構成で請求項１の発明と同様の効果を奏することができる。
【００２０】
更に、請求項３の発明によれば、録画開始によって同一記録対象の低画質録画と高画質録画を同時に開始し、録画の進行により残量算出手段の算出残量が少なくなると、指定された低画質録画のみを行なうことにより、可能な限り同一録画対象の低画質録画と高画質録画とを実現することができ、録画前には録画時間が分からないリアルタイム録画等において有効な構成で請求項１の発明と同様の効果を奏することができる。
【００２１】
又、請求項４の発明によれば、請求項１乃至３の発明において、記録媒体の録画可能残量が不足するときに、記録媒体のユーザーが低画質録画を指定した録画対象の高画質録画（既録画）を消去し、低画質録画の保存を極力優先して録画可能残量を極力多くし、前記録画残量の不足を解消することができ、録画再生の性能を一層向上することができる。
【発明を実施するための最良の形態】
【００２２】
次に、本発明をより詳細に説明するため、その一実施形態について、図１〜図５にしたがって詳述する。
【００２３】
図１は例えばＨＤＤレコーダからなる本発明の映像記録再生装置の一例のブロック図、図２はその録画説明用のフローチャート、図３は再生録画選択用の録画一覧画面の一例の説明図である。図４は記録媒体１２の録画状態の一例の説明図、図５は記録媒体１２の録画状態の他の例の説明図である。
【００２４】
（構成）
そして、図１の映像記録再生装置は本体装置１とユーザーの手元の操作部２とで構成され、操作部２は周知の赤外線リモコンからなり、操作部２は本体装置１の操作判別部３に赤外線を媒体としてユーザーが操作したキーの情報を送信する。
【００２５】
更に、本体装置１において、前記操作判別部３は受信したキーの情報から操作されたキーの種類及びキーの長押し、単押し等を認識してユーザーの録画、再生等の各種の操作内容を判別し、判別結果を動作指示部４に送る。
【００２６】
動作指示部４は操作部２及び図示省略した本体装置１の同様の操作部（本体操作部）からの操作の判別結果に基づき、操作内容に応じた動作の各種指示信号を発生して全体制御部５に送る。
【００２７】
全体制御部５は前記動作指示部４及び後述の録画可能残量算出部６、録画画質設定部７、録画タイプ設定部８、録画位置表示制御部９、録画制御部１０、再生制御部１１等と共にマイクロコンピュータによって形成され、装置の電源投入に基づき前記マイクロコンピュータが設定された録画・再生の処理プログラムを実行することにより、動作指示部４の各種指示信号や装置内各部のセンサの検出信号等に基づき、装置全体を制御する。
【００２８】
ところで、本体装置１はＨＤＤ等からなる大容量の書き換え自在の記録媒体１２を備える。
【００２９】
そして、録画時には前記録画制御部１０の録画制御に基づき、録画処理部１３によって録画対象のコンテンツ（番組）がＭＰＥＧ信号等に圧縮されて記録媒体１２に録画される。尚、前記録画対象のコンテンツ（番組）は録画処理部１３に入力される装置内蔵のテレビチューナ（図示せず）のアナログ、デジタルの受信コンテンツや外部入力のコンテンツである。
【００３０】
又、再生時には前記再生制御部１１の後述の再生制御に基づき、記録媒体１２に録画されたコンテンツが再生処理部１４によって再生される。
【００３１】
そして、録画、再生されるコンテンツ（番組）は、実際には映像と音声とからなり、記録媒体１２は録画対象の録画によってその映像と共に音声も記録媒体１２に書き込まれるが、本実施形態においては映像についてのみ説明する。
【００３２】
次に、本実施形態においては、例えば、前述のＸＰモードの録画が高画質録画、ＬＰモードの録画が低画質録画に設定される。
【００３３】
又、記録媒体１２の各録画はタイプ（ｔｙｐｅ＝０、１、２）の情報が付されて分類され、タイプ０（ｔｙｐｅ＝０）は ユーザーの指定した画質の録画を表わし、タイプ１（ｔｙｐｅ＝１）はユーザーが低画質を指定（希望）したときの高画質録画を表わし、タイプ２（ｔｙｐｅ＝２）は タイプ１の高画質録画と共に録画される（書き込まれる）ユーザーが指定した低画質録画を表わす。
【００３４】
そして、残量算出手段を形成する録画可能残量算出部６は、記録媒体１２の各録画のタイトル情報等から周知の手法で記録媒体（ディスク）の時々刻々の録画可能残量（未記録量）を計算する。
【００３５】
又、録画画質設定部７は、記録媒体１２の録画可能残量及びユーザーの録画画質の指定等に基づき、録画する映像の画質を設定する。
【００３６】
更に、録画タイプ設定部８は、同様に、記録媒体１２の録画可能残量及びユーザーの録画画質の指定等に基づき、録画する映像の前記タイプを設定してその録画に設定したタイプを付す。
【００３７】
一方、録画位置表示制御部９は、ユーザーからの要求に基づき、録画可能残量算出部６の算出結果等から、記録媒体１２の現在の録画状態を例えばバー表示するためのオンスクリーンディスプレイ（ＯＳＤ）の表示情報を形成する。
【００３８】
次に、録画処理部１３と共に録画処理手段を形成する録画制御部１０は、録画可能残量算出部６の録画可能残量が、例えば一般的なコンテンツ（番組）の低画質録画と高画質録画とが可能な容量の数倍程度の設定量以上であることを条件に記録媒体１２に同一録画対象の低画質録画と高画質録画とを行なう。尚、前記設定量は設計時等に決定された固定値であってもよいが、ユーザーが操作部２を操作して自由に可変設定できるようにすることが好ましい。
【００３９】
そして、予約録画に適用する本実施形態の場合、録画前に録画可能残量算出部６の録画可能残量が前記設定量以上であることを確認し、録画時刻になると、高画質録画を優先して開始し、高画質録画の終了後に高画質録画のビットレートを少なくして圧縮した映像を生成して低画質録画を行なう。
【００４０】
ところで、録画前の録画可能残量算出部６の録画可能残量から、少なくとも高画質録画を行なうと、記録媒体１２の録画可能残量が不足すると判断されるときには、記録媒体１２に低画質録画と共に書き込まれている同一コンテンツの高画質録画を消去し、録画可能残量を増大する。
【００４１】
そして、この増大によって録画可能残量算出部６の録画可能残量が前記設定量以上になる場合は、録画時刻になると、高画質録画を優先して開始する。
【００４２】
又、再生処理部１４と共に再生処理手段を形成する再生制御部１１は、再生時に、ユーザーの再生コンテンツの選択に基づき、記録媒体１２の選択されたコンテンツの高画質録画を優先的に再生出力する。
【００４３】
尚、録画中の録画処理部１３のモニタ出力及び再生時の再生処理部１４の再生出力は、画面表示出力部１５を介して本体装置１に接続されたディスプレイ装置（図示せず）に供給されて画面表示される。
【００４４】
（動作）
上記構成の基づき、図１の映像記録再生装置は図２のステップＳ１〜Ｓ１５に示すように動作して録画を行なう。
【００４５】
すなわち、ステップＳ１でユーザーが操作部２を操作して所望コンテンツの予約録画を指令すると、ステップＳ２、Ｓ３により、全体制御部５が録画可能残量計算部６の算出残量から記録媒体１２の録画可能残量が前記設定量以上か否かを判別する。
【００４６】
そして、記録媒体１２の録画可能残量が前記設定量以上であれば、ステップＳ４によりユーザーが高画質録画を指定しているか否かを判別し、高画質録画を指定しているときは、ステップＳ４からステップＳ５に移行し、予約時間になると、録画処理部１３により、録画タイプ設定部８でタイプ０を付した高画質録画を記録媒体１２に行なう。
【００４７】
その後、ステップＳ６の終了操作を介してステップＳ７に移行し、全体制御部５によって所定の録画終了処理を行なって録画を終了する。
【００４８】
一方、ステップＳ４でユーザーが低画質録画を指定していると、ステップＳ４からステップＳ８に移行し、予約時間になると、録画処理部１３により、録画タイプ設定部８でタイプ１を付した高画質録画を記録媒体１２に行ない、その後、ステップＳ９に移行し、その高画質録画に基づき、録画タイプ設定部８でタイプ２を付した同じコンテンツの低画質録画を記録媒体１２に行なう。
【００４９】
その後、ステップＳ６の終了操作を介してステップＳ７に移行し、全体制御部５によって所定の録画終了処理を行なって録画を終了する。
【００５０】
したがって、記録媒体１２の録画可能残量が十分多いときには、ユーザーが低画質録画を指定したとしても、記録媒体１２に所望のコンテンツの高画質録画と低画質録画とが行なわれる。
【００５１】
次に、ステップＳ１でユーザーが操作部２を操作して所望コンテンツの予約録画を指令したときに、記録媒体１２の録画可能残量が前記設定量より少なく、少なくとも高画質録画を行なうと、記録媒体１２の録画可能残量が不足すると判断されるときには、ステップＳ３からステップＳ１０に移行してユーザーが高画質録画を指定しているか否かを判別する。
【００５２】
そして、低画質録画を指定しているときは、ステップＳ１０からステップＳ１１に移行し、録画タイプ設定部８でタイプ０を付した低画質録画のみを記録媒体１２に行なう。
【００５３】
その後、ステップＳ６の終了操作を介してステップＳ７に移行し、全体制御部５によって所定の録画終了処理を行なって録画を終了する。
【００５４】
一方、高画質録画を指定しているときは、ステップＳ１０からステップＳ１２に移行し、録画処理部１３により、記録媒体１２に低画質録画と共に書き込まれている同一コンテンツのタイプ１の高画質録画（既録画）を検索し、その既録画（又はそれまでに検索した各既録画）を消去すれば記録媒体１２の録画可能残量が前記設定量以上になるか否かを判断する。尚、この判断はタイプ１の前記既録画の全て検索するまでくり返す。
【００５５】
そして、記録媒体１２の録画可能残量が前記設定量以上になるときには、ステップＳ１２からステップＳ１３に移行し、検索した全ての前記記録画を消去して記録媒体１２の録画可能残量を増大した後、ステップＳ１４に移行し、録画タイプ設定部８でタイプ０を付した高画質録画のみを記録媒体１２に行なう。
【００５６】
したがって、記録媒体１２の録画可能残量が不足して高画質録画が困難なときに、記録媒体１２のユーザーが低画質録画を指定した録画対象の高画質録画（既録画）を消去し、低画質録画の保存を極力優先して録画可能残量を自動的に多くし、録画残量の不足を解消して新たなコンテンツの高画質録画をすることができる。
【００５７】
その後、ステップＳ６の終了操作を介してステップＳ７に移行し、全体制御部５によって所定の録画終了処理を行なって録画を終了する。
【００５８】
尚、上記の検索によって記録媒体１２の録画可能残量が前記設定量にならなくても、ステップＳ１２からステップＳ１５に移行し、録画タイプ設定部８でタイプ０を付した低画質録画を記録媒体１２に行なう。
【００５９】
次に、上述のようにして録画された記録媒体１２の再生時は、ユーザーの再生の指令に先立つ再生録画一覧の表示指令に基づき、再生処理部１４が例えば図４に示すようなタイプ０とタイプ１の録画のみを記録媒体１２から検索し、それらの小窓画面Ｗ１〜Ｗ６からなる録画一覧画面Ｐの表示出力を、表示出力部１５を介してディスプレイ装置に送り、録画一覧画面Ｐを画面表示する。
【００６０】
このとき、低画質録画と高画質録画とが行なわれているものについては、高画質録画が画面表示されるので、ユーザーが録画一覧画面Ｐから再生する録画を選択することにより、その選択に基づき、再生処理部１４は高画質録画を優先的に再生する。
【００６１】
したがって、とくに低画質録画を指定して録画を行なったユーザーは、予想した画質より高画質で録画を再生して鑑賞することができ、感動を与える効果がある。
【００６２】
以上説明したように、本実施形態の場合、記録媒体１２に例えば図４（ａ）に示すように全記録容量Ｒｍａｘに対して斜線のＲ５だけが既に録画され、記録媒体１２の録画可能残量（ディスク残量）Ｒ６が前記設定量以上であれば、ユーザーが低画質録画を指定しても、同図（ｂ）に示すように同じコンテンツの低画質録画（斜線のＲＬ）と高画質録画（斜線のＲＨ）が行なわれ、その後、再生によって高画質録画が優先的に再生され、ユーザーは録画画質の設定によらず、高画質で録画を再生して鑑賞することができる。
【００６３】
又、図５（ａ）に示すように、記録媒体１２が低画質録画（斜線のＲＬ）と高画質録画（斜線のＲＨ）によって、次に高画質録画が行なえないようなときに、記録媒体１２の低画質録画を指定して録画された高画質録画を自動的に消去し、低画質録画を優先的に保存用に残して記録媒体１２の録画可能残量を増大し、同図（ｂ）に示すように次の高画質録画を可能にすることができる。
【００６４】
したがって、とくに予約録画のように、録画時間が予め分かっている場合に有効な構成で、ユーザーの録画画質の指定にかかわらず可能な限り高画質録画を行って録画後に極力高画質の再生画鑑賞が行なえるようにすることができ、録画再生の性能を著しく向上することができる。
【００６５】
そして、本発明は上記した実施形態に限定されるものではなく、その趣旨を逸脱しない範囲において上述したもの以外に種々の変形実施を行なうことが可能である。
【００６６】
そして、前記実施形態においては、録画開始によって高画質録画を先に行ない、その後、その高画質録画のビットレート変換等によって低画質録画を行なうことで、同じコンテンツの低画質録画と高画質録画とを実現するようにしたが、録画制御部１０及び録画処理部１３が形成する録画処理手段により、録画開始によって低画質録画と高画質録画を同時に開始し、録画の進行により録画可能残量算出部６が形成する残量算出手段の算出残量が所定の下限量に減少した後は指定された低画質録画のみを行なうようにして、低画質録画を指定したときにも記録媒体１２に高画質録画を併せて行なうようにしてもよく、この場合は、とくに録画前には録画時間が分からないリアルタイム録画等において有効な構成で同様の効果を奏することができる。
【００６７】
次に、記録媒体１２は書き換え自在の種々の構成の記録媒体であってよく、残量算出手段、録画処理手段、再生処理手段の構成も前記実施形態の構成に限られものではない。
【００６８】
そして、本発明は、種々の映像記録再生装置に適用することができる。
【図面の簡単な説明】
【００６９】
【図１】本発明の一実施形態のブロック図である。
【図２】同上、録画の動作説明用のフローチャートである。
【図３】同上、再生録画選択用の録画一覧画面の一例の説明図である。
【図４】同上、記録媒体の録画状態の一例の説明図である。
【図５】同上、記録媒体の録画状態の他の例の説明図である。
【図６】低画質録画及び高画質録画の容量例の説明図である。
【図７】従来装置の記録媒体の録画状態の一例の説明図である。
【符号の説明】
【００７０】
５    全体制御部
６    録画可能残量算出部
７    録画画質設定部
８    録画タイプ設定部
１０    録画制御部
１１    再生制御部
１２    記録媒体
１３    録画処理部
１４    再生処理部
【図１】
2008060771.tif 000003
【図２】
2008060771.tif 000004
【図３】
2008060771.tif 000005
【図４】
2008060771.tif 000006
【図５】
2008060771.tif 000007
【図６】
2008060771.tif 000008
【図７】
2008060771.tif 000009